(57)【特許請求の範囲】
【請求項１】
ベースと、当該ベースの両側に配置された支持体と、この支持体の上部に設けられた天板と、前記支持体間に配置されたバック部材と、このバック部材よりも手前側に配置された移動部材とを備えたボード類収納装置において、
前記バック部材と移動部材との間にボード類が起立姿勢で収納可能に設けられるとともに、前記移動部材を前方に移動させることによって前記ボード類の出し入れ空間が拡大可能に設けられ、
前記支持体は、異なる高さ位置で前後に延びる複数のガイドを含み、前記バック部材と移動部材は前記ガイドに着脱自在に設けられていることを特徴とするボード類収納装置。
【請求項２】
前記バック部材は前記支持体間に延びる軸部を備えるとともに、前記支持体に対して前後方向に移動可能に設けられていることを特徴とする請求項１記載のボード類収納装置。
【請求項３】
前記移動部材は前記支持体に支持される一対のスライド部材と、これらスライド部材の前部間を相互に連結する横行部材とからなり、この横行部材は前記ボード類の下端部を支持可能な支持部を備え、当該支持部に支持されたボード類の上部背面側が前記天板に支持されることを特徴とする請求項１又は２記載のボード類収納装置。
【発明の詳細な説明】
【０００１】
【発明の属する技術分野】
本発明はボード類収納装置に係り、更に詳しくは、ボード類を起立姿勢で収納できるとともに、当該ボード類の出し入れも容易に行うことのできるボード類収納装置に関する。
【０００２】
【従来の技術】
従来より、ホワイトボードやプロジェクターのスクリーン等のボード類が知られている。これらのボード類は、自立構造若しくは壁掛け構造を備えていない場合には、専用の収納装置に収納され、必要時に当該収納装置より取り出して利用されている。
【０００３】
公知のボード類収納装置としては、ベースの前部及び後部にフレームがそれぞれ配置され、ベース上に起立姿勢で載せられたボード類が、前後のフレームで倒れ込み規制されるようになっている。このボード類収納装置においては、前記フレームの上方若しくは左右位置よりボード類が出し入れできる構成となっている。
【０００４】
【発明が解決しようとする課題】
しかしながら、このような収納装置は、ボード類を収納するための専用装置であり、異なる対象物を収納することは考慮されていない。従って、スペースの有効利用を考えた場合には無駄が多いという不都合がある。また、ボード類に筆記を行った後に、当該ボード類を起立姿勢にして掲示を行う場合には、特別の支持装置を用いなければならないという不都合もある。
【０００５】
【発明の目的】
本発明は、このような不都合に着目して案出されたものであり、その目的は、ボード類の出し入れを極めて容易に行えるとともに、ボード類以外の対象物も収納することが可能となるボード類収納装置を提供することにある。
【０００６】
本発明の他の目的は、一部の構成部品を有効に利用することでボード類を起立姿勢に支持して掲示することも可能なボード類収納装置を提供することにある。
【０００７】
【課題を解決するための手段】
前記目的を達成するため、本発明に係るボード類収納装置は、ベースと、当該ベースの両側に配置された支持体と、この支持体の上部に設けられた天板と、前記支持体間に配置されたバック部材と、このバック部材よりも手前側に配置された移動部材とを備えたボード類収納装置において、
前記バック部材と移動部材との間にボード類が起立姿勢で収納可能に設けられるとともに、前記移動部材を前方に移動させることによって前記ボード類の出し入れ空間が拡大可能に設けられ、
前記支持体は、異なる高さ位置で前後に延びる複数のガイドを含み、前記バック部材と移動部材は前記ガイドに着脱自在に設けられる、という構成を採っている。このような構成とすれば、天板を備えた収納装置であっても、当該天板の前端位置よりも前方に移動部材を引き出すことで、ボード類の出し入れを容易に行うことができる。また、ボード類を起立姿勢としたときの高さ若しくは幅が種々相違するものであっても、それに対応した位置にバック部材と移動部材とを位置させることでボード類を起立姿勢に保って収納することができる。
【０００９】
また、前記バック部材は前記支持体間に延びる軸部を備えるとともに、前記支持体に対して前後方向に移動可能に設けられる、という構成を採ることもできる。このような構成では、移動部材とバック部材との間の離間幅も調整可能となり、ボード類の収納枚数に応じた離間幅に設定することでボード類をばたつかせることなく収納可能となる。
【００１０】
更に、前記移動部材は前記支持体に支持される一対のスライド部材と、これらスライド部材の前部間を相互に連結する横行部材とからなり、この横行部材は前記ボード類の下端部を支持可能な支持部を備え、当該支持部に支持されたボード類の上部背面側が前記天板に支持される、という構成を採っている。このような構成では、ボード類を収納することに加え、ボード類を起立姿勢で掲示する支持装置としての作用をも奏することとなる。
【００１１】
【実施例】
以下、本発明の実施例を図面を参照しながら説明する。
【００１２】
図１には、本実施例に係るボード類収納装置の概略斜視図が示され、図２には、ボード類を省略した状態の概略斜視図が示されている。これらの図において、ボード類収納装置１０は、平面視略長方形状のベース１１と、このベース１１の左右（長手方向）両側に配置された一対の支持体１２，１２と、これら支持体１２，１２の上部に配置された天板１３とを含む本体１４と、前記支持体１２，１２の後部間に配置されたバック部材１５（図２参照）と、このバック部材１５よりも手前側に配置された移動部材１６とを備えて構成されている。
【００１３】
前記ベース１１は、左右の支持体１２，１２における下部間に掛け渡されている。このベース１１よりも若干上方位置における前部及び後部には、枠体からなる柵部材２０が支持体１２，１２間に掛け渡されており、当該柵部材２０，２０により、ベース１１上に起立姿勢で収納されるボード類Ｂの下部がベース１１の前方及び後方に脱落しないようになっている。なお、柵部材２０は、支持体１２に対して取付高さ位置を変更することが可能とされている。
【００１４】
前記支持体１２，１２は左右対称となる構造体によって構成されている。各支持体１２は、前後一対の支柱２２，２２と、これら支柱２２，２２間において、上下方向に所定間隔を隔てて相互に略平行に延び、且つ、前後の支柱２２，２２を連結する複数の丸棒部材からなるガイド２３と、前部及び後部における左右の支柱２２，２２間をそれぞれ連結する前後一対の連結部材２５と、左右の各支柱２２，２２の外側に、図示しない嵌合構造を介して嵌め込まれたパネル２６とにより構成されている。
【００１５】
前記バック部材１５は、図３に示されるように、直線状に延びる軸部２８と、この軸部２８の端部にそれぞれ設けられたフック部２９，２９とにより構成されている。フック部２９は下向き湾曲形状に設けられており、当該フック部２９が左右の支持体１２における各ガイド２３，２３に上方より引っ掛けられるようになっている。この際、フック部２９，２９は、対応するガイド２３，２３に対して前後方向に移動可能な程度に引っ掛けられており、これにより、バック部材１５がガイド２３に沿って前後に移動可能となっている。
【００１６】
前記移動部材１６は前記支持体１２のガイド２３に沿って移動可能な一対のスライド部材３０，３０と、これらスライド部材３０の前部を相互に連結する横行部材３１とにより構成されて平面視略コ字状の外形に設けられている。各スライド部材３０は、ガイド２３の内方に位置して当該ガイド２３と略平行となるスライドバー３４と、このスライドバー３４の後部に位置する取付部３５と、当該取付部３５に着脱自在に設けられた保持部材３６と、この保持部材３６の外側面における前後二箇所に配置された環状部材３７，３７とにより構成されている。環状部材３７は、前記ガイド２３を挿入することのできる空間を形成するように湾曲した一対の片部材により構成されており、これらの片部材の各先端間は、前記ガイド２３に対して着脱自在となるように開放した形状に設けられている。図３に示されるように、左右のスライド部材３０，３０は、前記横行部材３１に対して片持ち姿勢で固定されており、スライド部材３０，３０の後部間を、一定程度において強制的に接近させることが可能とされ、これにより、移動部材１６がガイド２３に対して着脱自在とされている。
【００１７】
前記横行部材３１は、図３ないし図５に示されるように、手で掴み易い程度の太さを備えた把手軸４０と、この把手軸４０に連結された支持部としてのフレーム４１とにより構成されている。このフレーム４１は、把手軸４０の両端より若干内方位置における後部外周面部分に連なって略水平方向後方に延びる左右一対の基部軸４３，４３と、各基部軸４３，４３の後端から上方に延びる起立軸４４，４４と、これら起立軸４４間に延びる連結軸４５とにより構成されている。
【００１８】
次に、本実施例におけるボード類収納装置１０の使用方法について、図６及び図７をも参照しながら説明する。
【００１９】
ボード類Ｂの収納時は、移動部材１６が支持体１２の前部支柱２２，２２間に略位置する状態とされ、この移動部材１６とバック部材１５との間にボード類Ｂが起立姿勢で配置される。この際、ボード類Ｂの高さ寸法に合わせてバック部材１５と移動部材１６をガイド２３に装着することができる。また、収納されるボード類Ｂの枚数が少ない時は、その分、ボード類Ｂが前後方向にばたつく場合を生じ得るため、ボード類Ｂの高さ内に収まる位置で、移動部材１６が装着されているガイド２３とは別のガイド２３にバック部材１５を装着し、これを移動部材１６側に接近させた位置に移動させることで、当該移動部材１６との離間幅を狭めるようにすることもできる。
【００２０】
また、ボード類Ｂの上端よりも上方領域におけるガイド２３を利用して、図示しない棚板を配置することが可能であり、当該棚板や、天板１３を利用して別途の対象物を収納若しくは載せ置くこともでき、スペースの有効利用を図ることが可能となる。
【００２１】
ボード類Ｂを使用する場合には、天板１３の前端と横行部材３１との間に手を差し入れて取り出すことができる。この際、ボード類Ｂの起立高さが高い場合、例えば、ボード類Ｂの上端が天板１３に非常に接近する相対的寸法の場合には、移動部材１６を前方に引き出して出し入れ空間を拡大することによってボード類Ｂを取り出すことができる。すなわち、図６に示されるように、移動部材１６を引き出し限まで引き出した場合、或いは連結軸４５を天板１３の前端よりも前方に引き出した場合には、仮に、ボード類Ｂの上端が天板１３の直下に位置する高さを有していても、ボード類Ｂの下部を上部に対して手前側となるような傾斜姿勢にすることによって上方に引き出すことが可能となる。
【００２２】
ボード類Ｂに所要の筆記を行って、これを起立姿勢に支持する必要がある場合には、図７に示されるように、横行部材３１における左右一対の基部軸４３，４３を跨ぐようにボード類Ｂを載せて当該ボード類Ｂの下端部を支持する一方、連結部４５でボード類Ｂの下部背面側を支持させることができる。また、ボード類Ｂの上部背面側を天板１３の前端部で更に支持させてもよい。これにより、ボード類Ｂの起立姿勢を一層安定的に保つことができる。
【００２３】
従って、このような実施例によれば、ボード類Ｂの出し入れが非常に容易となるボード類収納装置を提供することができる他、掲示を行う必要が生じたときに、一部の構成部品、すなわち移動部材１６を利用してボード類Ｂを掲示することが可能となる。
【００２４】
なお、本実施例における支持体１２は、図示構成例に限定されるものではなく、バック部材１５及び移動部材１６を支持することができるものであればよい。従って、例えば、図示のパネル２６は省略することもできる。また、バック部材１５は、後方を閉塞することのできるバックパネルとしてもよい。
【００２５】
更に、移動部材１６は、例えば、図８に示されるように構成することができる。すなわち、起立軸４４の高さを前記実施例構成よりも高く設けることで、当該起立軸４４の上部間に位置する連結軸４５がボード類Ｂの背面側を安定的に支えることができるようになり、天板１３を利用しない場合でも、ボード類Ｂを起立姿勢に保って掲示することが可能となる。また、横行部材３１の把手軸４０の下部から垂下する軸を設け、この軸の下端に基部軸４５を設けることにより、側面から見たときに連結軸４５が落ち込んだ形状となるように設けることもできる。
【００２６】
【発明の効果】
以上説明したように、本発明によれば、ベースの両側に配置された支持体間にバック部材と移動部材とを設け、これらバック部材と移動部材との間にボード類を起立姿勢で収納可能に設けるとともに、前記移動部材を前方に移動させてボード類の出し入れ空間を拡大可能としたから、他の対象物を載せ置くことができる天板を備えた収納装置としても、天板の前端位置よりも前方に移動部材を引き出してボード類の出し入れを支障なく行うことができる。
【００２７】
また、異なる高さ位置で前後に延びる複数のガイドを含んで支持体を構成し、バック部材と移動部材をガイドに着脱自在に設けた構成によれば、ボード類を起立姿勢としたときの高さが高低様々となる場合でも、その高さ対応した位置にバック部材と移動部材とを位置させてボード類を起立姿勢で収納することが可能となる。
【００２８】
更に、バック部材が支持体間に延びる軸部を備えて当該支持体に対して前後方向に移動可能に設けられる構成とすれば、移動部材とバック部材との間の離間幅も調整することができ、ボード類の収納枚数に応じた離間幅に設定してボード類の収納姿勢を安定化させることができる。
【００２９】
また、一対のスライド部材の前部間を相互に連結する横行部材を含んで移動部材を構成し、当該横行部材に前記ボード類の下端部を支持可能な支持部を設けてボード類を支持可能としたから、ボード類収納装置としての機能の他に、ボード類を起立姿勢で掲示する支持装置としての作用をも奏することができる。
【図面の簡単な説明】
【図１】実施例に係るボード類収納装置の概略斜視図。
【図２】ボード類を省略した状態を示す図１と同様の概略斜視図。
【図３】バック部材と移動部材を拡大した概略斜視図。
【図４】移動部材の拡大平面図。
【図５】（Ａ）は移動部材の正面図、（Ｂ）は移動部材の右側面図。
【図６】移動部材を引き出し限まで前方に移動した状態の概略斜視図。
【図７】移動部材を利用してボード類を起立姿勢に立て掛けた状態を示す概略斜視図。
【図８】移動部材の変形例を示す概略斜視図。
【符号の説明】
１０  ボード類支持装置
１１  ベース
１２  支持体
１３  天板
１４  本体
１５  バック部材
１６  移動部材
２３  ガイド
３０  スライド部材
３１  横行部材
４１  フレーム（支持部）
Ｂ  ボード類
【図１】
0004839556.tif 000002
【図２】
0004839556.tif 000003
【図３】
0004839556.tif 000004
【図４】
0004839556.tif 000005
【図５】
0004839556.tif 000006
【図６】
0004839556.tif 000007
【図７】
0004839556.tif 000008
【図８】
0004839556.tif 000009